(57)【要約】【課題】浸炭処理や浸炭窒化処理を受けた際においても部品内部の強度および靭性を確保しつつ、熱処理歪の原因となる結晶粒の粗大化を効果的に抑制することができる、冷間加工品の有利な製造方法について提案する。【解決手段】鋼素材に熱間圧延、次いで冷間鍛造を施した後、浸炭処理を行って冷間加工品を製造するに当たり、前記冷間鍛造の前あるいは途中段階で行う焼鈍の回数を、下記（１）式を満足させ、前記浸炭処理を行った後の冷間加工品における、オーステナイト粒径が50μm以下の結晶粒の面積率を80％以上、かつオーステナイト粒径が300μm超えの結晶粒の面積率を10％以下とする。【選択図】なし【特許請求の範囲】
【請求項１】
鋼素材に熱間圧延、次いで冷間鍛造を施した後、浸炭処理を行って冷間加工品を製造するに当たり、
前記冷間鍛造の前あるいは途中段階で行う焼鈍の回数を、下記（１）式を満足させ、
前記浸炭処理を行った後の冷間加工品における、オーステナイト粒径が50μm以下の結晶粒の面積率を80％以上、かつオーステナイト粒径が300μm超えの結晶粒の面積率を10％以下とすることを特徴とする冷間加工品の製造方法。
記
nA≦３−εc  ・・・(1)
（nA＜０の場合は、nA＝０とする）
εc：冷間鍛造により導入される相当塑性ひずみ（複数回冷間鍛造の場合は総和）の最大値
【請求項２】
前記鋼素材は、質量％で、
Ｃ：0.10〜0.35％、
Si：0.01〜0.13％、
Mn：0.30〜0.80％、
Ｐ：0.03％以下、
Ｓ：0.03％以下、
Al：0.01〜0.045％、
Cr：0.5〜3.0％、
Ｂ：0.0005〜0.0040％、
Nb：0.003〜0.080％および
Ｎ：0.0080％以下
を含み、不純物として混入するTiを0.005％以下に抑制し、残部はFe及び不可避的不純物の成分組成からなることを特徴とする請求項１に記載の冷間加工品の製造方法。
【請求項３】
前記鋼素材はさらに、質量％で、
Sb：0.0003〜 0.50％および
Sn：0.0003〜 0.50％
のうちから選んだ１種または２種以上を含有することを特徴とする請求項２に記載の冷間加工品の製造方法。
【発明の詳細な説明】
【技術分野】
【０００１】
本発明は、自動車などの輸送機械や、建設機械およびその他の産業機械などの構成要素となる機械部品、特に浸炭処理、あるいは浸炭窒化処理して使用される機械構造部品に適した、冷間加工品の製造方法に関するものである。
【背景技術】
【０００２】
自動車のクランクシャフトや歯車には、優れた疲労特性、耐磨耗性および耐ピッチング性が求められる。そのために、クロム鋼、クロム−モリブデン鋼およびニッケル−クロム−モリブデン鋼等を、熱間鍛造や冷間鍛造に代表される塑性加工および切削加工により所定の形状に加工後、肌焼きと呼ばれる浸炭処理や浸炭窒化処理を施すことによって、製造されるのが通例である。
【０００３】
ここで、冷間鍛造は、熱間鍛造に比べて製造コストが低く、製品歩留まりも良好であることに加え、製品の表面性状や寸法精度に優れている。そこで、従来は熱間鍛造で製造されていた部品を、冷間鍛造による製造へ切り替えることが指向されている。その結果、近年では、冷間鍛造後に浸炭や浸炭窒化といった表面硬化処理を施して製造される部品の割合が急増している。
【０００４】
上記の浸炭処理や浸炭窒化処理において、焼入れ時に熱処理歪が生じると、例えば歯車の場合には、騒音や振動の原因となるだけでなく、形状が狂うために、研磨等の修正工程が必要となり、またシャフト形状の部品の場合には曲がりを生じ、これを矯正することが必要となるため、いずれも製造コストが上昇する原因となる。
上記熱処理歪の発生は、特に高温で処理される浸炭部品で顕著である。この熱処理歪は、熱処理中にγ粒が局所的に粗大化し、焼入れ性が不安定となるため、マルテンサイト変態時の膨張による応力不均一に起因して生じるとされている。
【０００５】
従来、浸炭処理におけるγ粒の粗大化を防止するために、熱間圧延後の鋼材中のAlNの析出状態や、NbやTiの炭窒化物などの微細析出させる際の析出量や分布等を制御することによって、これら析出物のピン止め効果を活用する手法が、試みられてきた。
例えば、特許文献１および特許文献２には、鋼の熱履歴とAl、Nb、Ｎ量を調整して発現する、AlとNb窒化物のピン止め効果によって、γ粒の粗大化を抑制することが提案されている。しかし、AlやNbの窒化物は、熱間圧延や焼鈍などの熱履歴を経過する際に粗大化しやすく、かつ析出物の粗大化に伴って、浸炭処理や浸炭窒化処理の加熱時のγ粒粗大化抑制能が著しく低下するという問題があった。
【０００６】
また、特許文献３および特許文献４には、Al、Nb、Tiなどの窒化物、炭化物、炭窒化物形成元素の含有量を調整し、かつ各析出物の大きさや分布を圧延条件の規定にて制御する、手法が開示されている。しかし、種々のサイズの圧延を行う、実際のラインでは、安定的に製造できず、依然効果を安定的に発揮するとは言いがたい状況にあった。
【０００７】
特許文献５には、鋼中のＣ、TiおよびMoの含有量を所定の範囲に制御して、フェライト相中に粒径10nm未満のナノ析出物を分散させることによって、浸炭処理時のγ粒の粗大化を防止し、熱処理歪を小さくする手法が提案されている。しかしながら、この技術では、靭性が低いことに加えて、浸炭層以外の強度が十分でなく、シャフトや歯車に適用することが困難という問題があった。
【先行技術文献】
【特許文献】
【０００８】
【特許文献１】特開昭58-45354号公報
【特許文献２】特開昭61-261427号公報
【特許文献３】特開平11-50191号公報
【特許文献４】特開平11-335777号公報
【特許文献５】特開2003-321731号公報
【発明の概要】
【発明が解決しようとする課題】
【０００９】
本発明は、上記の問題点に鑑み開発されたものであり、浸炭処理や浸炭窒化処理を受けた際においても部品内部の強度および靭性を確保しつつ、熱処理歪の原因となる結晶粒の粗大化を効果的に抑制することができる、冷間加工品の有利な製造方法について提案することを目的とする。
【課題を解決するための手段】
【００１０】
さて、発明者らは、上記の目的を達成すべく、冷間鍛造用素材と冷間鍛造方法に関して鋭意研究を重ねた。
その結果、冷間鍛造用素材の成分組成を好適化して、冷間鍛造前の焼鈍を省略しても、優れた寸法精度を有する冷間鍛造を実現し、さらに焼鈍を省略することにより焼鈍時の微細炭窒化物の粗大化を回避することが、浸炭加熱時のγ粒粗大化を抑止し、浸炭焼き入れ後に、従来よりも格段に優れた寸法精度の機械部品を得られることを見出した。さらに、浸炭処理後の旧γ粒の粗大化を阻止することによって、疲労強度についても有利な向上が達成されることの知見も得た。
本発明は、上記の知見に立脚するものである。
【００１１】
すなわち、本発明の要旨構成は次のとおりである。
１．鋼素材に熱間圧延、次いで冷間鍛造を施した後、浸炭処理を行って冷間加工品を製造するに当たり、
前記冷間鍛造の前あるいは途中段階で行う焼鈍の回数を、下記（１）式を満足させ、
前記浸炭処理を行った後の冷間加工品における、オーステナイト粒径が50μm以下の結晶粒の面積率を80％以上、かつオーステナイト粒径が300μm超えの結晶粒の面積率を10％以下とすることを特徴とする冷間加工品の製造方法。
記
nA≦３−εc  ・・・(1)
（nA＜０の場合は、nA＝０とする）
εc：冷間鍛造により導入される相当塑性ひずみ（複数回冷間鍛造の場合は総和）の最大値
【００１２】
２．前記鋼素材は、質量％で、
Ｃ：0.10〜0.35％、
Si：0.01〜0.13％、
Mn：0.30〜0.80％、
Ｐ：0.03％以下、
Ｓ：0.03％以下、
Al：0.01〜 0.045％、
Cr：0.5〜3.0％、
Ｂ：0.0005〜0.0040％、
Nb：0.003〜0.080％および
Ｎ：0.0080％以下
を含み、不純物として混入するTiを0.005％以下に抑制し、残部はFe及び不可避的不純物の成分組成を有することを特徴とする前記１に記載の冷間加工品の製造方法。
【００１３】
３．前記鋼素材はさらに、質量％で、
Sb：0.0003〜 0.50％および
Sn：0.0003〜 0.50％
のうちから選んだ１種または２種以上を含有することを特徴とする前記２に記載の冷間加工品の製造方法。
【発明の効果】
【００１４】
本発明によれば、最適な冷間鍛造素材と冷間鍛造方法との組み合わせにより、優れた寸法精度を有する、機械構造部品に最適の冷間加工品を得ることができる。従って、この冷間加工品を機械構造部品に供することによって、輸送機械や、建設機械およびその他の産業機械などの低騒音化、さらには高疲労強度化を図ることができる。
【図面の簡単な説明】
【００１５】
【図１】焼鈍条件を示す図である。
【図２】中間素材の形状および寸法を示す図である。
【図３】試験片の形状および寸法を示す図である。
【図４】浸炭焼入れおよび焼戻しの条件を示す図である。
【発明を実施するための形態】
【００１６】
以下、本発明を詳しく説明する。
本発明の冷間加工品の製造方法においては、浸炭処理による表面硬化が施すことが必須であるが、例えば機械構造部品として高い寸法精度と疲労強度を獲得するために、浸炭処理後の結晶粒径を微細にすることが重要である。
具体的には、浸炭処理後の冷間加工品において、オーステナイト粒径が50μm以下の結晶粒の面積率を80％以上、かつオーステナイト粒径が300μm超えの結晶粒の面積率を10％以下とする必要がある。好ましくは、オーステナイト粒径が50μm以下の結晶粒の面積率を90％以上、かつオーステナイト粒径が300μm超えの結晶粒の面積率を５％以下とする。
【００１７】
すなわち、オーステナイト粒径が50μm以下の結晶粒の面積率を80％以上とするのは、疲労強度を十分に向上させるためである。さらに、オーステナイト粒径が300μm超えの結晶粒の面積率を10％以下とするのは、浸炭処理後の寸法精度を確保するとともに、疲労強度を十分に向上させるためである。
【００１８】
上記の組織とするには、冷間鍛造を行う際に必須である焼鈍の回数を制限することが肝要である。この点について、以下に詳述する。
さて、鋼素材には、冷間鍛造処理後に浸炭処理を施して冷間加工品とするが、この浸炭処理後に疲労強度が劣化する場合が散見された。
そこで、発明者らは、この点についても検討を重ねた結果、疲労強度の劣化が生じた場合は、浸炭処理後に結晶粒が粗大化していることが判明した。さらに、この原因について調査したところ、この結晶粒の粗大化は冷間鍛造時における焼鈍の回数と強い相関があることが判明した。
【００１９】
冷間鍛造は、複数回にわたって行うのが通例であり、その複数回の冷間鍛造の間に鋼材の軟化を目的として適宜焼鈍を挟んで行っている。この焼鈍の回数nAが下記（１）式を満たさなくなると、結晶粒が粗大化して疲労強度が劣化することを突き止めたのである。
すなわち、浸炭時の結晶粒の粗大化は、Al窒化物やNb炭窒化物の微細分散により抑制を可能としているが、焼鈍を複数回行うと、Al窒化物やNb炭窒化物が粗大化してしまい、結果として、浸炭時の結晶粒粗大化抑制能を失ってしまうため、焼鈍は下記（１）式を満足する回数に制限する必要がある。より好ましくは、下記（２）式を満足する回数である。
記
nA≦３−εc  ・・・（１）
nA≦2.5−εc  ・・・（２）
（nA≦０の場合は、nA＝０とする）
【００２０】
ここで、焼鈍の回数を、冷間鍛造により導入される相当塑性ひずみに応じて規定する理由は以下の通りである。すなわち、相当塑性ひずみが大きい程、焼鈍後の組織中のフェライトが微細化しやすく、この微細化によって、浸炭加熱中の逆変態オーステナイトの核生成サイトが増加し、浸炭初期のオーステナイトが微細化する。極度に微細化したオーステナイトは、異常粒成長を起こしやすい。よって、相当塑性ひずみが大きくなる程、焼鈍回数を減らし、浸炭初期のオーステナイトの微細化を抑制することによって、浸炭処理中の異常粒成長を防止できる。
【００２１】
この規定に従って冷間鍛造を施し、そして浸炭処理して得られる冷間加工品は、オーステナイト粒径が50μm以下の結晶粒の面積率は80％以上、かつオーステナイト粒径が300μm超えの結晶粒の面積率は10％以下となる。
【００２２】
前記εcは、冷間鍛造により導入される相当塑性ひずみ（複数回冷間鍛造の場合は総和）の最大値であり、通常行われているFEM解析を用いた、鍛造条件設定時のシミュレーションにて求めることができる。
【００２３】
なお、冷間鍛造時における焼鈍条件については特に制限はなく、従来公知の条件で行えばよい。好ましい焼鈍条件は、760〜780℃程度の温度域で10〜300min程度である。なお、本発明において、冷間鍛造条件については特に制限はなく、従来公知の条件で行えばよい。
【００２４】
また、浸炭処理条件についても特に制限はなく、従来公知の条件で行えばよい。一般的な浸炭処理としては、浸炭ガス雰囲気中、例えばRXガス（CO／CO2）の雰囲気中にて900〜960℃および１〜20ｈで浸炭を施したのち、この浸炭温度から、あるいは840〜880℃にて10〜120min保持後焼入れし、ついで120〜250℃にて30〜300minで焼き戻しを行うことが推奨される。
【００２５】
次に、上記した鋼素材の成分組成について、各成分の好適範囲と限定理由を詳しく説明する。なお、成分に関する「％」表示は、特に断らない限り「質量％」を意味するものとする。
まず、基本成分としては、Ｃ：0.10〜0.35％、Si：0.01〜0.13％、Mn：0.30〜0.80％、Ｐ：0.03％以下、Ｓ：0.03％以下、Al：0.01〜 0.045％、Cr：0.5〜3.0％、Ｂ：0.0005〜0.0040％、Nb：0.003〜0.080％およびＮ：0.0080％以下を含み、不純物として混入するTiを0.005％以下に抑制し、残部はFe及び不可避的不純物であることが好ましい。
【００２６】
Ｃ：0.10〜0.35％
Ｃは、冷間鍛造品に施す浸炭処理後の焼入れによって、鍛造品中心部において十分な硬度を得るために、0.10％以上とすることが好ましい。一方、Ｃの含有量が0.35％を超えると、冷間鍛造素材の硬度上昇にともない、上記した（１）式を満足する条件での冷間鍛造が困難となり、さらには浸炭焼き入れ後の中心部の靱性が劣化するため、Ｃ量は0.10〜 0.35％の範囲とするのが好ましい。なお、靭性および冷間鍛造性の面から、より好ましくは0.25％以下、さらに好ましくは0.20％以下である。
【００２７】
Si：0.01〜0.13％
Siは、脱酸剤として有用であり、少なくとも0.01％の添加が好ましい。しかしながら、Siは浸炭表層で優先的に酸化し、粒界酸化を促すだけでなく、フェライトを固溶強化し変形抵抗を高めて冷間鍛造性を劣化させるため、上限を0.13％とするのが好ましい。より好ましくは0.02〜0.10％、さらに好ましくは0.02〜0.09％の範囲である。
【００２８】
Mn：0.30〜0.80％
Mnは、焼入性の向上に有効な元素で有り、0.30％以上の添加により効果を発揮することになる。しかし、Mnの過剰な添加は、固溶強化による変形抵抗の上昇を招いて冷間鍛造性を劣化させるため、上限を0.80％とすることが好ましい。より好ましくは0.60％以下、さらに好ましくは0.55％以下である。
【００２９】
Ｐ：0.03％以下
Ｐは、結晶粒界に偏析して靭性を低下させるため、その混入は低いほど望ましいが、0.03％までは許容される。好ましくは0.025％以下である。また、下限については特に限定せずとも問題はないが、不要な低Ｐ化は精錬時間の増長や精錬コストの上昇を招くため、好ましくは0.010％以上とするのがよい。より好ましくは0.013％以上である。
【００３０】
Ｓ：0.03％以下
Ｓは、硫化物系介在物として存在し、被削性の向上に有効な元素であるが、過剰な添加は冷間鍛造性の低下を招くため、上限を0.03％とするのが好ましい。また、下限については特に限定しないが、特に優れた被削性を確保するために、0.010％以上としてもよい。被削性の観点から、より好ましくは0.012％以上である。
【００３１】
Al：0.01〜 0.045％
Alは、過剰に添加すると鋼中のＮをAlNとして固定して、Ｂの焼入性効果を発現させてしまう。浸炭処理後の部品強度を安定化させるためには、Ｂの焼入性効果を発現させないことが重要であり、そのためにAl量の上限は0.045％とする。一方、脱酸に有効な元素でもあるため、下限を0.01％とする。好ましくは0.01〜 0.040％、さらに好ましくは0.015〜0.035％の範囲である。
【００３２】
Cr：0.5〜3.0％
Crは、焼入性のみならず、焼戻し軟化抵抗の向上に寄与し、さらには炭化物の球状化促進にも有用な元素である。しかしながら、含有量が0.5％に満たないと、その添加効果に乏しく、一方3.0％を超えると、過剰浸炭や残留オーステナイトの生成を促進し、疲労強度に悪影響を与える。よって、Cr量は0.5〜3.0％の範囲とするのが好ましい。より好ましくは0.7〜2.5％、さらに好ましくは1.0〜1.8％の範囲である。
【００３３】
Ｂ：0.0005〜 0.0040％
Ｂは、鋼中でＮと結合することで、固溶Ｎを低減させる効果があり、そのため、固溶Ｎによる冷間鍛造時の動的ひずみ時効を低減することが可能であり、鍛造時の変形抵抗を下げることに寄与する。このためには、0.0005％以上のＢ添加が望ましいが、一方でＢ量が0.0040％を超えると、変形抵抗低減効果は飽和し、むしろ靱性の低下を招きさらに添加したＢが固溶状態となると、焼き入れ性が著しく不安定化することから、Ｂ量は0.0005〜0.0040％の範囲に限定することが好ましい。より好ましくは0.0005〜 0.0030％の範囲である。
【００３４】
Nb:0.003〜 0.080％
Nbは、鋼中でNbCを形成し、浸炭処理時のオーステナイト粒の粗粒化をピン止めにより抑制する効果がある。この効果を得るためには、少なくとも0.003％の添加が必要であるが、0.080％を超えて添加すると、粗大なNbCの析出による粗粒化抑制能の低下や疲労強度の劣化を招くおそれがある。このためNb量は0.003〜0.080％の範囲にすることが好ましい。より好ましくは0.010〜0.060％、さらに好ましくは0.015〜0.045％の範囲である。
【００３５】
Ｎ：0.0080％以下
Ｎは、鋼中に固溶し、冷間鍛造時に動的ひずみ時効を生じ、変形抵抗を増大させてしまうため、混入を極力回避することが好ましい成分である。そのため、Ｎ量は0.0080％以下とすることが好ましい。より好ましくは0.0070％以下、さらに好ましくは0.0065％以下である。
【００３６】
Ti：0.005％以下
Tiは、鋼中への混入を極力回避することが好ましい成分である。すなわち、Tiは、Ｎと結合して粗大なTiNを形成しやすく、またNbとの同時添加は粗大析出物をより生じやすくし、疲労強度の低下を招くことから、その混入は極力低減することが好ましいが、0.005％以下であれば許容される。好ましくは0.003％以下である。
【００３７】
以上、基本成分について説明したが、本発明では、その他にも必要に応じて、以下の元素を適宜含有させることができる。
Sb：0.0003〜0.50％
Sbは、鋼材表面の脱炭を抑制し、表面硬度の低下を防止するために有効な元素である。ただし、過乗な添加は冷間鍛造性を劣化させることから、Sbは0.0003〜0.50％の範囲で添加することが好ましい。より好ましくは0.0010〜 0.050％、さらに好ましくは0.0015〜0.035％の範囲である。
【００３８】
Sn：0.0003〜0.50％
Snは、鋼材表面の耐食性を向上させる上で有効な元素である。ただし、過剰な添加は冷間鍛造性を劣化させることから、Snは0.0003〜0.50％の範囲で含有させることが好ましい。より好ましくは0.0010〜0.050％、さらに好ましくは0.0015〜0.035％の範囲である。
【実施例】
【００３９】
以下、実施例に従って、本発明の構成および作用効果をより具体的に説明する。なお、本発明は以下の実施例による制限を受けるものではなく、本発明の趣旨に適合し得る範囲内において以下の実施例から適宜変更することも可能であり、それらは何れも本発明の技術的範囲に含まれる。
【００４０】
表１に示す成分を有しかつ、種々の直径（表２に示す素材径）を有する丸棒鋼を素材として、１回あたりの断面減少率を０〜40％とする冷間前方押し出し成形（冷間鍛造）の繰返しにより14mmφの中間素材を得た。この中間素材を得るための繰返しの冷間鍛造の前、または途中にて焼鈍を施した。この回数をnAとする。なお、焼鈍は図１に示す条件で実施した。次いで、前記中間素材を冷間密閉鍛造により図２に示す寸法形状とし、さらに切削加工により図３に示す寸法形状とした。
その際、図２の形状への冷間鍛造工程における最大の荷重を測定した。また、冷間前方押し出し成形と冷間密閉鍛造とにより導入される相当塑性ひずみεcは、素材の断面積Ａ0（＝（素材径／２）2×π）と冷間密閉鍛造後の断面積Ａ（＝（8.5／２）2×π）とから、以下の（３）式により算出した。
εc＝−ln（Ａ／Ａ0）…（３）
【００４１】
得られた冷間加工材を図４に示す条件にて、浸炭、焼入れおよび焼戻しを行った。このようにして得た図３に示す形状の試験片について、その平行部中央（８mmφ部）のＣ断面（押し出し鍛造方向と直交する断面）を採取し、８mmφ部の断面内の浸炭部から４００倍で無作為に１０視野のミクロ組織を撮影し、撮影した組織について旧オーステナイト粒径分布を測定し、径が50μm以下の結晶粒の面積率および同300μm超の結晶粒の面積率を、それぞれ定量化した。また、８mmφ部を平行部の長さ方向に２mm間隔で５箇所、各箇所につき30°間隔で６箇所、合計30箇所の直径を測定し、その値の標準偏差を求めた。さらに、当該試験片を小野式回転曲げ疲労試験に供して、疲労特性を調査した。各実施例条件および特性調査結果を表２に示す。
【００４２】
【表１】
2016023360.tif 000002
【００４３】
【表２】
2016023360.tif 000003
【００４４】
繰り返し冷間鍛造時の焼鈍回数を初めとする実施条件が、本発明の規定範囲をすべて満足する場合は、良好な寸法精度、疲労強度を有する冷間加工品が得られている。なお、鋼素材の組成範囲が本発明の好適範囲を満足する場合（No.１〜６、8および10〜12）は、組成が好適範囲外となる鋼Ｇを用いたNo．13,14の、εcの値が同等の場合同士と比較すると、図２の形状への冷間鍛造に際しての変形抵抗が低く、実際の成形に際して鍛造金型寿命の向上が可能となることがわかる。
これに対して、焼鈍回数が規定回数を超えるNo.７および９は、浸炭焼入れ時に結晶粒の粗大化が発生し、最終形状の寸法精度および疲労強度が劣化する結果となった。
【図１】
2016023360.tif 000004
【図２】
2016023360.tif 000005
【図３】
2016023360.tif 000006
【図４】
2016023360.tif 000007